(57)【特許請求の範囲】
【請求項１】
集合住宅の共同玄関に設置される共同玄関インターフォン装置と、前記集合住宅の各住戸に設置される住戸内インターフォン装置とを備えたインターフォンシステムにおいて、前記共同玄関における来訪者のモニタ映像放送コンテンツを各住戸に配信するとともに当該来訪者の訪問先以外の住戸での受信制限を行うインターフォン用映像配信システムであって、
前記共同玄関に設置され、来訪者のモニタ映像を撮影する撮影装置と、
前記撮影装置により得られたモニタ映像を放送コンテンツとして、各住戸に送出する送出装置と、
前記各住戸に設置されたデジタルテレビ受信機とデジタル放送視聴用ＩＣカードとの間に配置されるカードアダプタとを備え、
前記送出装置は、前記共同玄関インターフォン装置から入力された訪問先の住戸を特定する住戸識別情報で変換したスクランブル鍵で前記放送コンテンツを暗号化するとともに、変換前のスクランブル鍵を独自ＥＣＭに含めて、前記暗号化された放送コンテンツを各住戸へ送出し、
各住戸内のデジタルテレビ受信機に付属した前記カードアダプタは、当該デジタルテレビ受信機から受信したＥＣＭが前記モニタ映像放送コンテンツに独自のものであるかどうかを識別する機能を有し、独自のものであるとき前記独自ＥＣＭから抽出した前記変換前のスクランブル鍵と、前記カードアダプタに固有に対応付けられた住戸識別情報とに基づいて、前記放送コンテンツの暗号化に用いた変換後のスクランブル鍵を復元して前記デジタルテレビ受信機へ送出し、独自のものでないときは前記ＩＣカードから前記デジタルテレビ受信機に対して送出されるスクランブル鍵を導通させる
インターフォン用映像配信システム。
【請求項２】
前記住戸識別情報は前記カードアダプタに付随した不揮発性記憶媒体に記憶されたことを特徴とする請求項１に記載のインターフォン用映像配信システム。
【請求項３】
前記送出装置は、非独自ＥＣＭが暗号化されている第１の暗号方式とは異なる第２の暗号方式で前記独自ＥＣＭを暗号化し、
前記カードアダプタは前記第２の暗号方式で暗号化された前記独自ＥＣＭを復号して前記変換前のスクランブル鍵を抽出する請求項１または２に記載のインターフォン用映像配信システム。
【請求項４】
前記送出装置は、前記住戸識別情報と前記スクランブル鍵との排他的論理和をとることにより前記スクランブル鍵の変換を行い、前記カードアダプタは、前記独自ＥＣＭから抽出された前記変換前のスクランブル鍵と前記住戸識別情報との排他的論理和をとることにより、前記放送コンテンツの暗号化に用いた変換後のスクランブル鍵を復元する請求項１〜３のいずれかに記載のインターフォン用映像配信システム。
【請求項５】
前記共同玄関インターフォン装置と前記住戸内インターフォン装置との間の音声の伝達を前記モニタ映像放送コンテンツの伝送線を用いてＲＦ信号で行い、前記共同玄関インターフォン装置側の音声は前記住戸内インターフォン装置において前記ＲＦ信号から再生する請求項１〜４のいずれかに記載のインターフォン用映像配信システム。
【請求項６】
前記送出装置は、前記共同玄関インターフォン装置から入力された訪問先の住戸を特定する住戸識別情報を前記モニタ映像放送コンテンツとともに放送コンテンツとして、前記住戸内インターフォン装置に送出し、
前記住戸内インターフォン装置は、受信した前記住戸識別情報を自住戸識別情報と比較し、両住戸識別情報が一致したとき、報知音を生成する請求項５に記載のインターフォン用映像配信システム。
【請求項７】
前記住戸内インターフォン装置は、前記カードアダプタに接続され、自住戸の住戸識別情報を前記カードアダプタ内の不揮発性記憶媒体から取得する請求項６に記載のインターフォン用映像配信システム。
【請求項８】
前記住戸内インターフォン装置は、前記自住戸の住戸識別情報を、前記住戸インターフォン装置内に設けられた不揮発性記憶媒体に予め記憶しておく請求項６に記載のインターフォン用映像配信システム。
【請求項９】
集合住宅の共同玄関における来訪者のモニタ映像放送コンテンツを各住戸に配信するとともに当該来訪者の訪問先以外の住戸での受信制限を行うインターフォン用映像配信システムにおいて、各住戸に設置されたデジタルテレビ受信機とデジタル放送視聴用ＩＣカードとの間に配置されるカードアダプタであって、
前記デジタル放送視聴用ＩＣカードと前記デジタルテレビ受信機との間の通信経路を選択的に導通／遮断する第１のスイッチと、
前記第１のスイッチと相補的に導通／遮断する第２のスイッチと、
住戸識別情報を記憶する不揮発性記憶媒体と、
前記デジタル放送視聴用ＩＣカードと前記デジタルテレビ受信機との間の通信経路に接続されたアダプタ制御手段とを備え、
前記アダプタ制御手段は、前記デジタルテレビ受信機から受信したＥＣＭが前記モニタ映像放送コンテンツに独自のものであるかどうかを識別する機能を有し、独自のものであるとき前記第１のスイッチを切断状態とするとともに前記第２のスイッチを接続状態とすることにより、前記独自ＥＣＭから抽出した変換前のスクランブル鍵と、自住戸の住戸識別情報とに基づいて、前記放送コンテンツの暗号化に用いた変換後のスクランブル鍵を復元して前記デジタルテレビ受信機へ送出し、前記独自のものでないときは前記第１のスイッチを接続状態とするとともに前記第２のスイッチを切断状態とすることにより、前記ＩＣカードから前記デジタルテレビ受信機に対して送出されるスクランブル鍵を導通させる制御を行う
ことを特徴とするカードアダプタ。
【請求項１０】
前記アダプタ制御手段は、前記デジタルテレビ受信機から受信したＥＣＭを正しく復号できるかどうかに基づいて、当該ＥＣＭが独自ＥＣＭであるかどうかを判断する請求項９に記載のカードアダプタ。
【請求項１１】
前記アダプタ制御手段は、前記独自ＥＣＭから抽出された前記変換前のスクランブル鍵と前記自住戸の住戸識別情報との排他的論理和をとることにより、前記放送コンテンツの暗号化に用いた変換後のスクランブル鍵を復元する請求項９または１０に記載のカードアダプタ。
【請求項１２】
前記アダプタ制御手段は、前記独自ＥＣＭから住戸識別情報を抽出してこの住戸識別情報を前記自住戸の住戸識別情報と比較し、両住戸識別情報が一致したとき前記復元されたスクランブル鍵を前記デジタルテレビ受信機へ送出し、両住戸識別情報が一致しないとき、予め設定した固定データを前記デジタルテレビ受信機へ送出する請求項９または１０に記載のカードアダプタ。
【発明の詳細な説明】
【技術分野】
【０００１】
本発明は、マンションやアパートなどの集合住宅用のインターフォンシステムに関し、特に、集合住宅の共同玄関における来訪者のモニタ映像を放送コンテンツとして各住戸に配信し、訪問先以外の住戸での受信制限を行うインターフォン用映像配信システムおよびこれに用いるカードアダプタに関する。
【背景技術】
【０００２】
１棟の建物内に複数の住戸が収容された形態の住宅である集合住宅用のインターフォンシステムとしては、個々の住戸内部とその住戸玄関外部との間の通話を行うための個別住戸用インターフォン機能の他に、共同玄関ドアのオートロックシステムに付随して、個々の住戸内部と共同玄関との間の通話を行うための共同玄関用インターフォン機能が用意されている。
【０００３】
後者の共同玄関用インターフォン機能によれば、来訪者が集合住宅の共同玄関に設置されている共同玄関インターフォン装置で部屋番号を指定して、訪問先へ来訪を通知し、訪問先の住戸内インターフォン装置がその通知を受領し報知音を発生させてその部屋の居住者に知らせる。居住者は、報知音に応答して、音声通話により来訪者を確認し、共同玄関のドアのロックを解除（解錠）することができる。
【０００４】
また、セキュリティ向上のため、訪問先の住戸内で来訪者の声だけでなく映像も確認できるように共同玄関にモニタカメラが設置され、映像モニタ機能がインターフォンシステムに組み込まれたものも知られている（特許文献１，２参照）。
【先行技術文献】
【特許文献】
【０００５】
【特許文献１】特開平５−２０７４７０号公報
【特許文献２】特開２００６−０６０７１４号公報
【特許文献３】特開２００５−１３６９０５号公報
【非特許文献】
【０００６】
【非特許文献１】デジタル放送におけるアクセス制御方式  標準規格  ＡＲＩＢ  ＳＴＤ−Ｂ２５  ５．１版、  社団法人電波産業会
【発明の概要】
【発明が解決しようとする課題】
【０００７】
上記のように、インターフォンシステムによるセキュリティ向上のためには、来訪者の確認は、音声だけでなく映像をも利用して行えることが望ましい。
【０００８】
しかし、インターフォンシステムにおいて映像を伝送するためには、映像伝送用のネットワーク配線が必要となったり、各住戸内のインターフォン装置（受信ユニット）を映像対応とするために、各住戸ごとに高機能な専用装置が必要となる。このため、インターフォンシステムのコストが増大するという問題があった。
【０００９】
特許文献３には、テレビ共同受信システム用の伝送線を利用して音声信号・映像変調信号を伝送可能な「インターホンシステム」が提案されている。そのために、共同玄関側と、各住戸側にそれぞれ、テレビの映像・音声信号と、インターフォン用の映像信号・音声信号の重畳および分離を行うための特別な装置としての「集合用アダプタ」と「住戸用アダプタ」とが用意されている。この従来技術によれば、インターフォン専用の伝送線を削除することができる利点がある。しかし、映像のストリームに暗号がかかっておらず、セキュリティ上、改善の余地があった。
【００１０】
本発明はこのような背景においてなされたものであり、その目的は、比較的に低コストで、かつ、よりセキュリティの高いインターフォン用映像配信システムおよびカードアダプタを提供することにある。
【課題を解決するための手段】
【００１１】
本発明によるインターフォンシステムは、集合住宅の共同玄関に設置される共同玄関インターフォン装置と、前記集合住宅の各住戸に設置される住戸内インターフォン装置とを備えたインターフォンシステムにおいて、前記共同玄関における来訪者のモニタ映像放送コンテンツを各住戸に配信するとともに当該来訪者の訪問先以外の住戸での受信制限を行うインターフォン用映像配信システムである。このインターフォン用映像配信システムは、前記共同玄関に設置され、来訪者のモニタ映像を撮影する撮影装置と、前記撮影装置により得られたモニタ映像を放送コンテンツとして、当各住戸に送出する送出装置と、前記各住戸に設置されたデジタルテレビ受信機とデジタル放送視聴用ＩＣカードとの間に配置されるカードアダプタとを備える。前記送出装置は、前記共同玄関インターフォン装置から入力された訪問先の住戸を特定する住戸識別情報で変換したスクランブル鍵で前記放送コンテンツを暗号化するとともに、変換前のスクランブル鍵を独自ＥＣＭに含めて、前記暗号化された放送コンテンツを各住戸へ送出する。各住戸内のデジタルテレビ受信機に付属した前記カードアダプタは、当該デジタルテレビ受信機から受信したＥＣＭが前記送出装置に独自のものであるかどうかを識別する機能を有し、独自のものであるとき前記独自ＥＣＭから抽出した前記変換前のスクランブル鍵と、前記カードアダプタに固有に対応付けられた住戸識別情報とに基づいて、前記放送コンテンツの暗号化に用いた変換後のスクランブル鍵を復元して前記デジタルテレビ受信機へ送出し、独自のものでないときは前記ＩＣカードから前記デジタルテレビ受信機に対して送出されるスクランブル鍵を導通させる。
【００１２】
この構成により、来訪者のモニタ映像を含む放送コンテンツは、訪問先の住戸毎に異なるスクランブル鍵で暗号化される。また、訪問先の住戸でのカードアダプタによってのみ、変換後のスクランブル鍵を復元（生成）することができる。その結果、訪問先の住戸においてのみ、来訪者のモニタ映像を含む放送コンテンツを正しく復号して再生することができる。
【００１３】
より具体的には、暗号化（スクランブル）されていない来訪者のモニタ映像を含む放送コンテンツは、送出装置において所定のスクランブル鍵で暗号化される。これにより、ＰＣなどのデジタル放送規格に対応していない装置で不正に視聴することが困難となる。また、送出装置は、前記変換前のスクランブル鍵を独自ＥＣＭに含めて、前記暗号化された放送コンテンツを各住戸のデジタルテレビ受信機へ送出する。カードアダプタは、当該暗号化された放送コンテンツの復号に利用するスクランブル鍵を前記独自ＥＣＭから抽出して、ＩＣカードに代わって出力することができる。その結果、前記送出装置から送出された放送コンテンツについてのみ、そのスクランブル鍵の復号をカードアダプタが担当する。また、カードアダプタは、独自ＥＣＭから抽出されたスクランブル鍵を、実際に暗号化に利用されたスクランブル鍵へ変換するよう機能する。これにより、基本的には、所定のカードアダプタの使用により、前記送出装置から送出された来訪者のモニタ映像放送コンテンツの正常再生が可能になる。カードアダプタは、前記送出装置から送出されたモニタ映像放送コンテンツ以外の放送コンテンツに対しては何ら影響を与えることがなく、ＩＣカードからはあたかも存在していないように見える。
【００１４】
通常、放送というものは不特定多数の受信者を対象とするものであるのに対して、本発明は、少なくともモニタ映像の暗号化によるセキュリティの向上を図ることに伴って必要となる暗号鍵を利用して、特定の訪問先以外の受信者における受信制限を行うことができる。本明細書における「受信制限」とは、放送コンテンツの正常な受信または再生（視聴）が制限されることをいう。
【００１５】
前記住戸識別情報は、前記カードアダプタに付随した不揮発性記憶媒体に記憶することができる。「カードアダプタに付随」とは、カードアダプタに固定的に内蔵されるもの以外に、カードアダプタに着脱可能に装着されるもの、ケーブル等を介して接続されるもの、等も含みうる。
【００１６】
前記送出装置は、非独自ＥＣＭが暗号化されている第１の暗号方式とは異なる第２の暗号方式で前記独自ＥＣＭを暗号化し、前記カードアダプタは前記第２の暗号方式で暗号化された前記独自ＥＣＭを復号して前記変換前のスクランブル鍵を抽出することができる。
【００１７】
前記送出装置は、前記スクランブル鍵と前記独自ＥＣＭとの対を時系列で複数生成する手段を備えることができる。
【００１８】
前記スクランブル鍵と前記独自ＥＣＭとの対を時系列で複数生成する手段は、前記スクランブル鍵と前記独自ＥＣＭとの複数の対を記憶した記憶手段と、この記憶された複数の対を所定のタイミングで繰り返して読み出すタイミング制御手段とにより構成することができる。
【００１９】
前記送出装置は、前記住戸識別情報と前記スクランブル鍵との排他的論理和をとることにより前記スクランブル鍵の変換を行い、前記カードアダプタは、前記独自ＥＣＭから抽出された前記変換前のスクランブル鍵と前記住戸識別情報との排他的論理和をとることにより、前記放送コンテンツの暗号化に用いた変換後のスクランブル鍵を復元することができる。
【００２０】
前記共同玄関インターフォン装置と前記住戸内インターフォン装置との間の音声の伝達を前記モニタ映像放送コンテンツの伝送線を用いてＲＦ信号で行い、前記共同玄関インターフォン装置側の音声は前記住戸内インターフォン装置において前記ＲＦ信号から再生することが可能である。その際、前記送出装置は、前記共同玄関インターフォン装置から入力された訪問先の住戸を特定する住戸識別情報を前記モニタ映像放送コンテンツとともに放送コンテンツとして、前記住戸内インターフォン装置に送出し、前記住戸内インターフォン装置は、受信した前記住戸識別情報を自住戸識別情報と比較し、両住戸識別情報が一致したとき、報知音を生成することができる。  
【００２１】
この構成において、前記送出装置は、前記共同玄関インターフォン装置から入力された訪問先の住戸を特定する住戸識別情報を前記モニタ映像放送コンテンツとともに放送コンテンツとして、前記住戸内インターフォン装置に送出し、前記住戸内インターフォン装置は、受信した前記住戸識別情報を自住戸識別情報と比較し、両住戸識別情報が一致したとき、報知音を生成することができる。
【００２２】
前記住戸内インターフォン装置は、前記カードアダプタに接続され、自住戸の住戸識別情報を前記カードアダプタ内の不揮発性記憶媒体から取得することができる。あるいは、前記住戸内インターフォン装置は、前記自住戸の住戸識別情報を、前記住戸インターフォン装置内に設けられた不揮発性記憶媒体に予め記憶しておいてもよい。
【００２３】
本発明のカードアダプタは、集合住宅の共同玄関における来訪者のモニタ映像放送コンテンツを各住戸に配信するとともに当該来訪者の訪問先以外の住戸での受信制限を行うインターフォン用映像配信システムにおいて、各住戸に設置されたデジタルテレビ受信機とデジタル放送視聴用ＩＣカードとの間に配置されるカードアダプタである。このカードアダプタは、前記デジタル放送視聴用ＩＣカードと前記デジタルテレビ受信機との間の通信経路を選択的に導通／遮断する第１のスイッチと、前記第１のスイッチと相補的に導通／遮断する第２のスイッチと、住戸識別情報を記憶する不揮発性記憶媒体と、前記デジタル放送視聴用ＩＣカードと前記デジタルテレビ受信機との間の通信経路に接続され、前記デジタルテレビ受信機から受信したＥＣＭが前記送出装置に独自のものであるかどうかを識別する機能を有し、独自のものであるとき前記第１のスイッチを切断状態とするとともに前記第２のスイッチを接続状態とすることにより、前記独自ＥＣＭから抽出した変換前のスクランブル鍵と、自住戸の住戸識別情報とに基づいて、前記放送コンテンツの暗号化に用いた変換後のスクランブル鍵を復元して前記デジタルテレビ受信機へ送出し、前記独自のものでないときは前記第１のスイッチを接続状態とするとともに前記第２のスイッチを切断状態とすることにより、前記ＩＣカードから前記デジタルテレビ受信機に対して送出されるスクランブル鍵を導通させる制御を行うアダプタ制御手段とを備える。
【００２４】
上述のように、このカードアダプタは、当該暗号化されたスクランブル鍵（変換前）を前記独自ＥＣＭから抽出し、これを住戸識別情報に基づいて変換することにより、放送コンテンツの暗号化に利用された実際のスクランブル鍵を復元して、ＩＣカードに代わって出力することができる。前記送出装置から送出された放送コンテンツについてのスクランブル鍵の復号はカードアダプタが担当する。カードアダプタは、前記送出装置から送出された放送コンテンツ以外の放送コンテンツに対しては何ら影響を与えることがなく、ＩＣカードからはあたかも存在していないように見える。
【発明の効果】
【００２５】
本発明は、独自のスクランブル鍵で暗号化された放送コンテンツを復号する際に、既存のＩＣカードおよびデジタルテレビ受信機の仕組みを利用して、ＩＣカードとデジタルテレビ受信機の間に配置したカードアダプタに住戸識別情報を対応付けることにより、比較的少数の要素の付加で、ＩＣカードの機能に影響を与えることなく、来訪者のモニタ映像放送コンテンツの再生を行うことができる。
【００２６】
また、インターフォンシステムの少なくともモニタ映像の伝送に、共同の放送配信システムを利用することにより、モニタ映像配信のための特別な構成が不要となり、システムコストを低減することができる。
【００２７】
併せて、送出装置から送出する放送コンテンツを暗号化するスクランブル鍵を訪問先の住戸識別情報で変換することにより視聴制限機能を実現するので、既存のＣＡＳシステムの機能を利用して、システム全体のコストを低減することができる。特に、各テレビ受信機に必要となる装置（カードアダプタ）および住戸インターフォン装置の各一台あたりのコスト増を抑止することができる。
【００２８】
また、テレビの大画面で来訪者を確認することができるので、モニタ映像の視認性が大幅に向上する。さらに、モニタ映像データ自体が暗号化されるので、セキュリティがさらに向上する。
【図面の簡単な説明】
【００２９】
【図１】本発明の実施の形態における集合住宅用のインターフォンシステム全体の概略構成を表したブロック図である。
【図２】本発明の実施の形態におけるインターフォンリモコンの構成例を示す図である。
【図３】本発明の実施の形態におけるカードアダプタの外観構成の一例を示す図である。
【図４】図１内に示した送出装置の内部構成を表したブロック図である。
【図５】ＡＲＩＢに規定されたＥＣＭセクションの構造を示す図である。
【図６】ＡＲＩＢに規定されたＥＭＭセクションの構造を示す図である。
【図７】本発明の実施の形態における時系列のＥＣＭパケットの列を記憶したデータテーブルを示す図である。
【図８】図１内に示した、本実施の形態におけるデジタルテレビ受信機とカードアダプタの内部構成例を示す図である。
【図９】本発明の実施の形態のカードアダプタにおけるＥＣＭおよびＥＭＭを用いたスクランブル鍵の生成の処理例について説明するための図である
【図１０】図９のカードアダプタの変形例を示す図である。
【図１１】本発明の実施の形態において、ある住戸におけるデジタルテレビ受信機とカードアダプタとＩＣカードの間の通信シーケンスを示す図である。
【図１２】図１１と同様、本発明の実施の形態におけるデジタルテレビ受信機と、カードアダプタとＩＣカードの間の通信シーケンスを示す図である。
【図１３】本発明の実施の形態におけるカードアダプタの処理フローを表したフローチャートである。
【図１４】本発明の第２の実施の形態を説明するための図である。
【図１５】図１４内に示した住戸内インターフォン装置のインターフォン処理部の処理例を表したフローチャートである。
【発明を実施するための形態】
【００３０】
以下、本発明の好適な実施の形態について図面を参照しながら詳細に説明する。
【００３１】
図１は、本実施の形態における集合住宅用のインターフォンシステム全体の概略構成を表したブロック図である。
【００３２】
上述したように、集合住宅用のインターフォンシステムとしては、個々の住戸内部とその住戸玄関外部との間の通話を行うための個別住戸用インターフォン機能の他に、個々の住戸内部と共同玄関との間の通話を行うための共同玄関用インターフォン機能がある。本発明では、個別住戸用インターフォン機能については特にその構成および機能を限定するものではなく、その詳細な説明は省略し、共同玄関用インターフォン機能についてのみ説明する。
【００３３】
本実施の形態におけるインターフォンシステムは、放送配信システム１０、共同玄関インターフォン装置４０、および各住戸６０内の放送受信システム２０および住戸内インターフォン装置８０により構成される。
【００３４】
このような構成により、集合住宅の共同玄関における来訪者のモニタ映像を各住戸６０に配信し、訪問先以外の住戸での受信制限を行うインターフォン用映像配信システムが実現される。
【００３５】
現在、一般に共同玄関のドアにはいわゆるオートロックシステムが採用され、来訪者の訪問先の居住者が共同玄関に居る来訪者を住戸内部から確認した後に、ドアのロックを解除（解錠）するようになっている。そのために、訪問先の住戸６０内で来訪者の声だけでなく映像も確認できるように共同玄関に撮影装置としてのモニタカメラ４７が設置される。
【００３６】
集合住宅内の管理室等の所定の場所に設置される放送配信システム１０は、配信先である各住戸６０に設置される放送受信システム２０と、例えば同軸ケーブル等の高周波伝送インタフェースを介して接続される。
【００３７】
より具体的には、放送配信システム１０は、特定のチャンネルでモニタカメラの映像を格納した放送コンテンツを送出する送出装置１４、この送出装置１４を制御する制御装置１６、放送コンテンツ源１１、この放送コンテンツ源１１からのＲＦ信号と送出装置１４からのＲＦ信号とを混合して各放送受信システム２０へ送信する混合器１２を備えて構成される。送出装置１４は、少なくとも、モニタカメラ４７から得られるモニタ映像を用いて放送コンテンツを生成する。このモニタ映像は共同玄関外部に位置する来訪者の映像を含みうる。放送コンテンツ源１１は、ここでは、地上デジタル放送受信アンテナ１１ａおよび衛星放送受信アンテナ１１ｂ等により構成されている。
【００３８】
本明細書における「放送コンテンツ」とは、典型的には、放送波を利用して視聴者へ送出されるモニタ映像（および音声）を含む情報であるが、放送波ではなく通信を介して送出されるものも含む。また、本明細書における「限定受信」とは、暗号化された、モニタ映像の放送コンテンツの受信者を限定する（すなわち特定の受信者にのみ視聴を許可する）ことを意味する。本実施の形態では、各住戸６０において、デジタルテレビ受信機２１による放送コンテンツの視聴に必要なＩＣカードとは別に本発明のカードアダプタを利用することを、モニタカメラ４７のモニタ映像の視聴の条件とする。（なお、モニタカメラ４７で撮影されテレビ受信機に表示されるモニタ映像に音声が付随する必要はないが、便宜上「視聴」という。）
【００３９】
また、基本的には、モニタ映像の放送コンテンツの視聴制限解除のために、本実施の形態では、各住戸６０に固有の住戸識別情報（住戸ＩＤ）としてその部屋番号を用いる。部屋番号データは各住戸６０のカードアダプタ２４内に予め記憶させておく。その記憶の態様としては、カードアダプタに内蔵する不揮発性記憶媒体への記憶の他、着脱可能な不揮発性記憶媒体（たとえばカード状の記憶媒体）の利用であってもよい。
【００４０】
送出装置１４には、地上デジタル放送のＳＩ情報送出機能、映像・音声の圧縮機能、映像・音声のスクランブル機能、直交周波数分割多重（ＯＦＤＭ：Orthogonal Frequency Division Multiplexing）変調機能、ＲＦアップコンバータ機能を実装している。より具体的には、送出装置１４は、地上デジタルテレビジョン放送に準拠したモニタ映像の放送コンテンツを当該暗号方式によるスクランブル鍵で暗号化し、このスクランブル鍵を独自ＥＣＭ（Entitlement Control Message）に含めて、暗号化された放送コンテンツを送出する。独自ＥＣＭとは、送出装置１４（ひいてはモニタ映像放送コンテンツ）に独自なＥＣＭであり、具体的にはＥＣＭの暗号化に、既存のデジタル放送とは異なる独自の暗号方式を採用したものをいう。本実施の形態では特に必要ないが、放送コンテンツはデータ放送コンテンツ（ＢＭＬデータ）を含みうる。ＢＳ放送および地上デジタル放送の信号はアンテナ１１ａ，１１ｂで受信され、モニタ映像の放送チャンネルの信号と混合器１２で一緒に集合住宅内の住戸に送出される。送出装置１４の詳細な内部構成については後述する。
【００４１】
制御装置１６は、送出装置１４を制御するための装置であり、本例ではパーソナルコンピュータ（ＰＣ）により構成される。
【００４２】
各住戸６０内の放送受信システム２０は、テレビ操作用のリモコン（リモートコントローラ）であるＴＶリモコン２２付のデジタルテレビ受信機２１と、カードアダプタ２４と、ＩＣカード２６とを備えて構成される。
【００４３】
ＩＣカード２６は、Ｂ−ＣＡＳカードと呼ばれるような既存のデジタル放送視聴用ＩＣカードであり、デジタル放送の受信機（デジタルテレビ受信機）に装着され、暗号化された（スクランブルされた）放送コンテンツを視聴可能にする。Ｂ−ＣＡＳカードは、そのＩＤ番号およびマスター鍵が格納された接触型ＩＣカードである。
【００４４】
カードアダプタ２４は、そのようなデジタル放送視聴用ＩＣカードとデジタルテレビ受信機（テレビ本体）２１との間に配置（装着）される、本発明により提供されるアダプタ装置である。より具体的には、カードアダプタ２４は、デジタルテレビ受信機２１から受信したＥＣＭが独自ＥＣＭであるかどうかを識別する機能を有し、独自ＥＣＭを受信したとき、その独自ＥＣＭから当該スクランブル鍵を抽出し、基本的には、有効な部屋番号データを記憶したカードアダプタの利用を条件として、所定のスクランブル鍵をデジタルテレビ受信機２１へ送出する。独自ＥＣＭ以外のＥＣＭ（非独自ＥＣＭ）を受信したときはＩＣカード２６からデジタルテレビ受信機２１に対して送出されるスクランブル鍵をそのまま導通させるよう機能する。カードアダプタ２４の具体的な構成例については後述する。
【００４５】
放送配信システム１０から伝送されたＲＦ信号は各住戸６０にあるテレビ受信機２１で受信される。ユーザは、ＴＶリモコン２２を使って、通常のテレビ放送チャンネルとモニタ映像の放送チャンネルを選局することができる。本実施の形態では、デジタルテレビ受信機の既存の放送配信システムを利用して、モニタ映像の視聴制限を行っているので、モニタ映像の放送チャンネルを選択するためのリモコンとしては、テレビ受信機２１のＴＶリモコン２２をそのまま使うことができ、使い勝手が良好となる。
【００４６】
通常のデジタル放送チャンネルの放送コンテンツは、ＭＵＬＴＩ２と呼ばれる暗号方式で暗号化（スクランブル）されており、その放送コンテンツを復号するための暗号鍵（スクランブル鍵）はＩＣカード２６から取り込むことができるようになっている。本実施の形態において、モニタ映像の放送チャンネルの放送コンテンツを暗号化するスクランブル鍵は、後述するスクランブル鍵生成部から生成されたスクランブル鍵が、部屋番号データに基づいて所定のデータに変換されたものである。このようなスクランブル鍵のデータ変換の方法として、本実施の形態では、ビット毎の排他的論理和（ＸＯＲ）を用いた簡易的なものを利用することができる。（但し、これに限るものではない。）すなわち、スクランブル鍵データに対して部屋番号データをビット毎に排他的論理和で作用させると、部屋番号データの特定のビット（例えば値"１"のビット）についてのみスクランブル鍵データが反転される。部屋番号データの長さ（ビット数）はスクランブル鍵のビット数（ここでは６４ビット）と同じものを想定しているが、それより長くても短くてもよい。短い場合には、スクランブル鍵の一部分のみが変換の対象となるが、その場合にも本発明は機能しうる。部屋番号データがスクランブル鍵のビット数より短い場合、その部屋番号データを反復して利用するようにしてもよい。例えば、３２ビットの部屋番号データを２個連結して６４ビットのデータとして利用してもよい。
【００４７】
後に詳述するように、このような暗号化されたスクランブル鍵の部屋番号データに基づく変換処理は送出装置１４において実行する。変換前のスクランブル鍵はＥＣＭパケットに含まれ、テレビ受信機２１を経由して、カードアダプタ２４に到達する。カードアダプタ２４は、モニタ映像の放送チャンネルが選択されたときには、ＥＣＭから、暗号化されたスクランブル鍵を取り込み、このスクランブル鍵を復号して、さらに有効な部屋番号データにより、変換後のスクランブル鍵を生成（すなわち復元）する。この生成された変換後のスクランブル鍵がテレビ受信機２１に返送され、このスクランブル鍵によりモニタ映像放送コンテンツの復号（デスクランブル）が行われる。部屋番号データによるスクランブル鍵の変換により、当該部屋番号の住戸のカードアダプタのみが当該スクランブル鍵を正しく復元することが可能となる。
【００４８】
各住戸６０には、放送受信システム２０に加えて、共同玄関インターフォン装置４０と接続される住戸内インターフォン装置８０が設置される。住戸内インターフォン装置８０は、インターフォン処理部８１、マイク８２、スピーカ８３、リモコンインタフェース（リモコンＩＦ）８４、およびインターフォン操作用のリモコンであるインターフォンリモコン８５を含む。インターフォン処理部８１は、住戸内インターフォン装置の各部の制御は必要な処理を行う部位であり、図示しないプロセッサやメモリで構成することができる。マイク８２およびスピーカ８３は、来訪者との通話のための音声入出力装置である。マイク８２は離れた位置にいるユーザの発声も集音できる集音マイクを用いることが好ましい。スピーカ８３は、来訪者の音声の発生の他、来訪者を知らせる報知音の発生にも使用されうる。リモコンＩＦ８４は、例えば赤外線インタフェースを利用することにより、インターフォンリモコン８５からの指示を受信してインターフォン処理部８１へ伝達する。インターフォンリモコン８５のインタフェースは赤外線に限るものではなく、任意の無線インタフェースを利用することが可能である。
【００４９】
図２（ａ）（ｂ）に、インターフォンリモコン８５の例としてリモコン８５ａ，８５ｂの構成を示す。
【００５０】
インターフォンリモコン８５ａは、少なくとも、通話／終話ボタン８５１と、解錠ボタン８５２を有する。通話／終話ボタン８５１は、来訪者の報知音が発生したときに、当該住戸６０の居住者であるユーザが操作することにより、来訪者との通話を開始および終了するためのボタンである。解錠ボタン８５２は、ユーザが共同玄関のドアのロックを解除する指示を行うためのボタンである。
【００５１】
また、図２（ｂ）に示すリモコン８５ｂは、インターフォンの操作機能に加えて、ＴＶリモコンの機能の少なくとも一部を兼備させたものである。例えば、図２（ｂ）の例では、テレビ受信機の電源をＯＮ／ＯＦＦする電源ボタン８５３およびモニタ映像の放送チャンネルの選択を指示するためのチャンネル選択ボタン（モニタボタン）８５４を用意してもいる。これにより、報知音の発生時にインターフォンリモコン８５ｂのみを用いて、テレビ受信機のモニタ画像の放送チャンネルの選択、通話を開始する指示、およびオートロックの解除指示を行うことができる。
【００５２】
また、インターフォンリモコン８５に代えて、または加えて、マイク８２およびスピーカ８３を搭載したハンドセット（図示せず）を備えてもよい。この場合、ハンドセットのオンフック／オフフックを検出するスイッチが通話／終話ボタンとして機能する。これらの住戸内インターフォン装置８０の構成自体は基本的には従来のものである。インターフォン・オートロック制御部４２についても、部屋番号データを放送配信システム１０へ送出する以外、従来の構成を利用することができる。
【００５３】
図１に示したインターフォンシステムにおいて、来訪者が共同玄関インターフォン装置４０で部屋番号を指定して、訪問先へ来訪を通知すると、その通知を訪問先の住戸内インターフォン装置８０が受領して報知音を発生し、部屋の居住者に知らせる。居住者は、住戸内において、報知音に応答して、音声通話により来訪者を確認することと並行して、ＴＶリモコン２２（またはリモコン８５ｂ）を用いて、モニタ映像の放送チャンネルを選択するように、デジタルテレビ受信機２１に指示し、来訪者のモニタ映像をテレビ画面上で確認する。当然ながら、デジタルテレビ受信機２１がＯＦＦ状態にある場合には、放送チャンネルの選択の前に、デジタルテレビ受信機２１をＯＮ状態に起動する。このように来訪者を音声だけでなく映像で確認した後、共同玄関のドアを解錠する（すなわちオートロックを解除する）よう指示することができる。
【００５４】
図３に、本実施の形態におけるカードアダプタ２４の外観構成の一例を示す。この例におけるカードアダプタ２４は、ＩＣカード２６を収納するスロット２４ｇ、および必要な回路を構成する電子部品を搭載した回路基板（図示せず）を内蔵したアダプタ本体部２４ａと、デジタルテレビ受信機２１の同様なスロット２１ａに装着されるカード状接続部材２４ｄとにより構成される。ＩＣカード２６を収納するＩＣカード用スロット２４ｇはカードアダプタ２４のユーザが着脱する必要はないので、アダプタ本体部２４ａの内部に閉鎖的に収納されてもよい。この代わりに、ユーザが着脱できるように、その一部が露出した状態で収納されてもよい。この例では、回路基板上に、部屋番号データを格納した部屋番号記憶部（メモリ）３１として不揮発性記憶媒体（例えばＥＥＰＲＯＭやフラッシュメモリ）が搭載されている。
【００５５】
本来であれば、デジタルテレビ受信機２１のスロット２１ａにはＩＣカード２６が直接実装されるが、本発明ではＩＣカード２６はカードアダプタ２４を介してデジタルテレビ受信機２１に実装される。アダプタ本体部２４ａには、電源コンセントに接続可能なプラグ付き電源ケーブル２４ｆを介して電源が供給される。カード状接続部材２４ｄとアダプタ本体部２４ａとはケーブル２４ｂで相互に接続される。この例では、ケーブル２４ｂにはコネクタ２４ｃが付属し、このコネクタ２４ｃを介してカード状接続部材２４ｄに接続されるようになっている。但し、コネクタ２４ｃは必須ではなく、ケーブル２４ｂはカード状接続部材２４ｄに直付けされてもよい。カード状接続部材２４ｄには、ＩＣカード２６と同じ箇所に同じ電気接点２４ｅが形成されている。アダプタ本体部２４ａにカード状接続部材２４ｄを直結することによりケーブル２４ｂをなくした構成であってもよい。
【００５６】
図４は、送出装置１４の内部構成を表したブロック図である。この送出装置１４は、主として、映像（音声）ストリームの独自暗号化および送出という機能を有している。
【００５７】
送出装置１４は、地上デジタル放送ＳＩ情報生成部１４０、映像・音声エンコーダ１４２、独自ＥＣＭパケット生成部１４３、スクランブル鍵生成部１４４、タイミング制御部１４５、マルチプレクサ１４６、スクランブラ１４７、ＯＦＤＭ変調器１４８、およびＲＦアップコンバータ１４９、独自ＥＭＭパケット生成部１５０、部屋番号データ保存部１５１、および排他的論理和部（ＸＯＲ）１５２を備える。
【００５８】
地上デジタル放送ＳＩ情報生成部１４０は、地上デジタル放送に必要なＰＡＴ，ＰＭＴ，ＳＤＴ，ＢＩＴ，ＴＯＴ，ＮＩＴなどのＳＩ情報（付帯情報）を生成する回路である。このようなＳＩ情報は制御装置１６から設定することができる。ＳＩ情報は、地上デジタル放送ＳＩ情報生成部１４０からＡＲＩＢ（非特許文献１参照）に準拠したタイミングでＴＳパケットとして送出される。一般に、ＴＳ（Transport Stream）は放送や通信で使用することを目的として標準化された１８８バイト単位の固定長パケットデータであり、通常、映像、音声、データを含む。
【００５９】
モニタ映像の放送コンテンツの映像は映像・音声エンコーダ１４２で圧縮され、ＴＳストリームに変換される。モニタ映像はモニタカメラ４７から得られるものである。暗号化（スクランブル）された映像ストリームを復号（デスクランブル）するには、ＥＣＭパケットが必要となる。
【００６０】
ここで、放送コンテンツの受信を限定する一般の限定受信システム（ＣＡＳ）について簡単に説明する。ＣＡＳでは、暗号化された放送コンテンツを視聴する際に、マスター鍵（Ｋｍ）と、ワーク鍵（Ｋｗ）と、スクランブル鍵（Ｋｓ）の３つの鍵が用いられる。マスター鍵はユーザ毎に配布される鍵であり、ＩＣカードなどの情報媒体を用いてユーザに配布される。放送波にはＥＭＭ（Entitlement Management Message）と呼ばれる情報が定期的に出力される。ＥＭＭには、契約者としてのユーザ毎の契約情報（契約登録コード）、ワーク鍵等が含まれている。ＥＭＭ内のユーザ毎の個別情報は暗号化され、マスター鍵で復号される。放送コンテンツは、ＥＣＭ（Entitlement Control Message）と呼ばれる共通情報とともに送信される。ＥＣＭには、番組に関する情報やスクランブル鍵等が含まれている。ＥＣＭも所定の暗号方式で暗号化されており、ワーク鍵で復号することができる。ＩＣカード２６側では、ＥＣＭをワーク鍵で復号し、ＥＭＭに含まれる契約情報とＥＣＭ内の情報とを照合し、視聴可能であればＥＣＭ内のスクランブル鍵を用いて、テレビ受信機２１にてコンテンツが復号（デスクランブル）される。
【００６１】
図５に、ＡＲＩＢに規定されたＥＣＭセクションの構造を示す。ＥＣＭセクションは、１つのＴＳパケットに１つ含まれ、ＥＣＭセクションヘッダと、ＥＣＭ本体と、セクションＣＲＣからなる。ＥＣＭ本体は、固定部と可変部と、改ざん検出部からなる。この「改ざん検出部」が本実施の形態における後述する「改ざん検出用ＣＲＣ３２」に該当する。固定部には、プロトコル番号、事業者識別情報、ワーク鍵識別情報、スクランブル鍵（ＯＤＤ）、スクランブル鍵（ＥＶＥＮ）、判定タイプ、日時、録画制御情報が含まれる。プロトコル番号は、共通情報を処理するプロトコル番号である。事業者識別情報は、限定受信方式運用上の事業体を識別するコードであり、ワーク鍵識別情報と併せて、参照する個別情報を指定する情報である。ワーク鍵識別情報は、共通情報を復号化するためのワーク鍵を指定する情報である。スクランブル鍵（ＯＤＤ）、スクランブル鍵（ＥＶＥＮ）は、ペアで送出される現在と次の２つのスクランブル鍵である。判定タイプは、無料、ディア、ＰＰＶなどの視聴判定のタイプを示す。日時は、視聴判定に使用する現在の年月日時分を示す。録画制御情報は、この番組の録画条件（録画可、不可、購入者のみ録画可）を示す情報である。ＥＣＭの可変部には、その共通情報の送信目的に応じた必要な機能情報が含まれる。本実施の形態の独自ＥＣＭでは、「プロトコル番号」は非独自ＥＣＭパケットのプロトコル番号と同じに設定するが事業体識別情報は任意でよい。ワーク鍵識別情報は、カードアダプタ内に複数のワーク鍵を保存してある場合にそのいずれを使用するかを指定するために用いられ、暗号化の対象とならない。なお、本発明においてワーク鍵はカードアダプタ内に予め保存しておいても、あるいは、独自ＥＭＭパケット生成部から生成されるＥＭＭに含めておき、カードアダプタ２４においてＥＭＭからワーク鍵を抽出するようにしてもよい。
【００６２】
図６に、ＡＲＩＢに規定されたＥＭＭセクションの構造を示す。ＥＭＭセクションは、ＥＭＭセクションヘッダと、複数のＥＭＭ本体と、セクションＣＲＣからなる。ＥＭＭ本体は、固定部と可変部と改ざん検出部からなる。「カードＩＤ」はＩＣカードを一意に識別するためのカード識別情報（例えばＢ−ＣＡＳ番号）である。「関連情報バイト長」は、プロトコル番号から改ざん検出部までのバイト長を表す。「プロトコル番号」は、ＩＣカード内処理機能および暗号アルゴリズム等を識別するコードである。「事業体識別」は限定受信方式運用上の事業体を識別するコードである。「更新番号」は、個別情報が更新する時に増加する番号である。「有効期限」は個別情報の有効期限を表す。可変部には各種の機能情報が配置可能となっている。ＥＭＭは、その配信先（ＩＣカード）のマスター鍵Ｋｍと同じ鍵で暗号化される。
【００６３】
ＥＣＭおよびＥＭＭは所定の暗号方式（第１の暗号方式）で暗号化されているが、本発明では自主放送に利用するＥＣＭ（独自ＥＣＭ）の暗号化に前記所定の暗号方式と異なる暗号方式（第２の暗号方式）で暗号化を行う。第２の暗号方式はブロック暗号方式であるが、その具体的な暗号方式は特に限定するものではない。
【００６４】
独自ＥＭＭパケット生成部１５０は、暗号化した独自ＥＭＭパケットを生成し、所定時点でマルチプレクサ１４６へ出力される。本実施の形態における独自ＥＭＭの固定部の「カードＩＤ」にはカードアダプタを一意に識別するカード識別情報が設定される。各宛先毎の独自ＥＭＭ本体の可変部には、本実施の形態において支障にならない所定のデフォルト値が設定される。
【００６５】
独自ＥＣＭパケット生成部１４３は、暗号化した独自ＥＣＭパケットを生成し、ＴＳストリームとして、一定時間間隔（例えば１００msec間隔）で出力する機能を有する。この独自ＥＣＭパケットは図５に示したＥＣＭセクションの全体に相当する。スクランブル鍵ひいてはＥＣＭパケットは、より長い一定時間間隔（ここでは２秒）毎に更新される。そのために、図７に示すように、本実施の形態では予め所定時間分（本例では１日分）の時系列のＥＣＭパケットの列を生成してメモリにデータテーブル５０として記憶しておく。そのようなメモリとして、本実施の形態ではフラッシュメモリ（例えばＳＤメモリ）等の不揮発性の記憶媒体を利用する。この記憶媒体には、スクランブル鍵生成部１４４として、各ＥＣＭパケットに対応するスクランブル鍵（ＯＤＤ／ＥＶＥＮキー）も併せて（スクランブル鍵と独自ＥＣＭとの対を時系列で）データテーブルとして記憶する。ＥＣＭパケットが１８８バイト、ＯＤＤ／ＥＶＥＮキーが１６バイトなので、１時点のデータ量は２０４バイトとなり、２秒毎の場合の１分のデータ量は６１２０バイト、１日のデータ量は８．８ＭＢとなる。記憶媒体に記憶するデータ量は、１日分としたが、必ずしも１日分に限るものではない。記憶する時間長は長いほど、セキュリティ上有効と考えられるが、本発明は１日より短い時間を排除するものではない。
【００６６】
このようなＥＣＭパケット列はランダム自動生成により行うことも可能である。但し、その場合、送出装置におけるＥＣＭパケット列の生成アルゴリズムから、その復号のアルゴリズムが解明される危険性がある（例えば送出装置が盗難にあったような場合）。暗号化したＥＣＭパケットをメモリに記憶して用いる場合には、暗号化の結果データのみの利用なのでそのような危険性が解消される。
【００６７】
図４に戻り、タイミング制御部１４５は、ＥＣＭパケット、スクランブル鍵、および、部屋番号データ（ROOM_DATA）の送出のタイミングを制御する。具体的には、２秒毎の時刻に対応して定義されたテーブルの中からある時間のＥＶＥＮ／ＯＤＤキーを取り出し、それをスクランブラ１４７に設定するようにスクランブル鍵生成部１４４を制御する。同時に、ＥＶＥＮ／ＯＤＤキーと対の形で定義されたＥＣＭパケットを取り出し、ＴＳストリームとして出力するよう独自ＥＣＭパケット生成部１４３を制御する。前述のようにＥＣＭパケットは１００ｍＳごとに繰り返し出力する。
【００６８】
部屋番号データ保存部１５１には制御装置１６からデータが設定される。来訪者のない通常状態では、その集合住宅に存在しない部屋番号データ（たとえば０データ）が設定される。来訪者が訪問先の部屋番号を入力したとき、その部屋番号データ（ROOM_DATA）が部屋番号データ保存部１５１に一時的に設定される。独自ＥＣＭパケット生成部１４３は、また、後述する本発明の変形例において、部屋番号データ保存部１５１から部屋番号データを受信し、生成するＥＣＭパケットの可変部に当該部屋番号データを格納する。但し、このＥＣＭパケットの可変部に当該部屋番号データを格納することは本発明において必須ではない。所定の時点での部屋番号データはまた元の通常状態での部屋番号データ（たとえば０データ）に戻される。
【００６９】
スクランブル鍵生成部１４４から出力されるスクランブル鍵Ｋｓと部屋番号データ保存部１５１から出力される部屋番号データROOM_DATAとは、排他的論理和部１５２で処理され、スクランブラ１４７へ、変換された（いわば暗号化された）スクランブル鍵Ｋｓ'が供給される。スクランブラ１４７では、この変換後のスクランブル鍵Ｋｓ'で放送コンテンツの暗号化が行われる。一方、ＥＣＭパケットでテレビ受信機２１へ送出されるスクランブル鍵Ｋｓは変換前のものなので、カードアダプタ側では、受信したスクランブル鍵Ｋｓを部屋番号データで同様に変換してスクランブル鍵Ｋｓ'を生成することが必要となる。その具体例については後述する。
【００７０】
各部で生成されたＴＳストリームはマルチプレクサ１４６で多重化される。多重化されたストリームのうち、映像（音声・データも含みうる）のストリームは、排他的論理和部１５２から与えられた、部屋番号データ（ROOM_DATA）で変換されたスクランブル鍵Ｋｓ'によりスクランブラ１４７で暗号化される。ＳＩ情報やＥＣＭはスクランブラ１４７による暗号化（スクランブル）の対象とはならない。スクランブラ１４７は、ＭＵＬＴ２と呼ばれる暗号方式でスクランブルを行う。ＭＵＬＴＩ２は、日本のデジタル放送用限定受信方式（Ｂ−ＣＡＳ）の標準暗号として採用された暗号方式である。暗号化されたストリームを含むＴＳストリームはＯＦＤＭ変調器１４８で地上デジタル放送信号として変調され、ＲＦアップコンバータ１４９によりＲＦ信号（ＵＨＦ信号）に変換され、ＲＦ出力される。このＲＦ出力するチャンネルとしては、地上デジタル放送の空きチャンネルを選択する。
【００７１】
図８は、図１の放送受信システム２０内に示した、本実施の形態におけるデジタルテレビ受信機２１とカードアダプタ２４の内部構成の一例を示す図である。このカードアダプタ２４は、例えば、図３で説明したような、部屋番号データを不揮発的に記憶するメモリに対応する部屋番号記憶部３１を内蔵している。
【００７２】
デジタルテレビ受信機２１は、チューナ部２１１、デスクランブラ２１２、デマルチプレクサ２１３、映像・音声デコーダ２１４、入出力（Ｉ／Ｏ）部２１５、制御部２１６、ＣＡＳ処理部２１７、表示処理部２１８、赤外線（Ｉｒ）受信部２１９、表示制御部２２０、表示部２２１、音声処理部２２２、およびスピーカ２２３を備えて構成される。
【００７３】
チューナ部２１１は、デジタルテレビ受信機２１が受信したＲＦ信号の中から選択したチャンネルの放送コンテンツを抽出する部位である。デスクランブラ２１２は、ＭＵＬＴＩ２暗号方式による暗号化（スクランブル）された放送コンテンツを復号（デスクランブル）する部位である。この復号のための鍵は、ＩＣカード２６またはカードアダプタ２４から、後述するＣＡＳ処理部２１７経由で与えられる。
【００７４】
デマルチプレクサ２１３は、多重化されたストリームを分離し、復号された放送コンテンツの中の映像・音声と、データ放送コンテンツ（存在すれば）とを抽出する部位である。映像・音声デコーダ２１４は、分離された映像および音声をデコードして復元するＭＰＥＧ２デコーダ等のデコーダである。デマルチプレクサ２１３で抽出されたＳＩ情報は制御部２１６に送出される。次に、ＳＩ情報のうち、ＥＭＭとＥＣＭパケットなどがＣＡＳ処理部２１７に送出される。ＥＣＭパケットはＳＩ情報の１パケットである。制御部２１６からＣＡＳ処理部２１７へは、図５に示したＥＣＭパケットの本体部のみが送出される。
【００７５】
ＣＡＳ処理部２１７は、カードアダプタ２４およびＩＣカード２６との間でコマンドおよびレスポンスの処理を入出力（Ｉ／Ｏ）部２１５を介して行うとともに、デスクランブラ２１２に与えるスクランブル鍵の抽出処理を行う部位である。
【００７６】
制御部２１６は、デマルチプレクサ２１３から抽出したセクション情報とＢＭＬデータの取り込み、ならびに  デジタルテレビ受信機２１の各部の制御および必要な処理を実行する部位であり、周辺回路を内蔵したＣＰＵおよびメモリ等により構成される。
【００７７】
表示処理部２１８は、制御部２１６の制御下で、デマルチプレクサ２１３で分離されたＢＭＬデータストリームに基づくデータ放送表示画面および映像・音声デコーダ２１４から得られた映像信号を合成して表示する処理を行う部位である。表示処理部２１８は、より具体的にはＢＭＬデータの表示、ＥＰＧ表示、チャンネル、音量などを含むメニュー表示を行う。
【００７８】
表示制御部２２０は、映像・音声デコーダ２１４からの映像信号に基づく映像および表示処理部２１８からの表示信号に基づく画像の表示を行うよう表示部２２１を制御する部位である。表示部２２１は液晶、プラズマ、有機ＥＬ等の表示デバイスである。
【００７９】
赤外線受信部２１９は、ＴＶリモコン２２等からの赤外線コマンドを受信して制御部２１６へ送る部位である。
【００８０】
音声処理部２２２は、映像・音声デコーダ２１４から得られた音声信号に基づいてスピーカ２２３を駆動する部位である。
【００８１】
なお、このようなデジタルテレビ受信機２１の構成としては既知のものを利用することができる。
【００８２】
カードアダプタ２４は、アナログスイッチ２４１、アナログスイッチ２４２、アダプタ制御部（アダプタ制御手段）２４３、および部屋番号記憶部３１を備えて構成される。
【００８３】
アナログスイッチ２４１は、デジタルテレビ受信機２１のＩ／Ｏ部２１５とＩＣカード２６との間の通信経路を選択的に導通／遮断するよう接続／切断される第１のスイッチである。アナログスイッチ２４２は、アナログスイッチ２４１と相補的に導通／遮断の動作を行うよう接続／切断される第２のスイッチである。アダプタ制御部２４３は、ＩＣカード２６とデジタルテレビ受信機２１のＩ／Ｏ部２１５との間の通信経路、より具体的にはアナログスイッチ２４１とＩＣカード２６の間の通信経路に接続される。通常のデジタル放送を受信しているときには、アナログスイッチ２４１が接続状態でアナログスイッチ２４２は切断状態にあり、テレビ受信機２１とＩＣカード２６との間は導通している。
【００８４】
通常のデジタル放送で使われるＥＣＭパケットは、Ｂ−ＣＡＳ標準規格における所定の暗号方式で暗号化されているので、アダプタ制御部２４３のプロセッサ２４４は理解できないため、何も反応しない。理解できないとは、ＥＣＭパケットの暗号をカードアダプタ２４の独自の暗号で解こうとするが、改ざん検出用ＣＲＣ３２（図５のＥＣＭ本体の「改ざん検出」）の判定値が非改ざんを示す所定値（例えば０）と一致しないため、自身が処理するＥＣＭパケットではないと判断するということである。もし、独自暗号で暗号化されたＥＣＭを含むデータがＩＣカード２６への通信経路に送出されると、同様に暗号を解いて、改ざん検出用ＣＲＣ３２判定値をチェックする。この場合はＣＲＣ３２判定値が上記所定値に合致するので、独自暗号であると判断する。
【００８５】
図９により、カードアダプタ２４におけるＥＣＭおよびＥＭＭを用いたスクランブル鍵の生成の処理例について説明する。この図は各部の機能をブロックで表したものである。図９に示した各部の機能の実現はハードウェア、ソフトウェアを問わない。この処理例では、基本的に、訪問先以外の住戸でのモニタ映像放送コンテンツの視聴制限を行うものとする。すなわち、所定の部屋番号を割り当てられたカードアダプタ２４が装備されたデジタルテレビ受信機についてのみ、送出装置１４から出力されたモニタ映像放送コンテンツの視聴が許可される。
【００８６】
カードアダプタ２４のアダプタ制御部２４３は、独自ＥＣＭ判定処理部２４４ｂにより、独自ＥＣＭを受信したと判断したとき、復号処理部２４４ｅにより、上記マスター鍵Ｋｍに基づいて、独自ＥＭＭから得られたワーク鍵（Ｋｗ）により復号する。代わりに、ワーク鍵Ｋｗはカードアダプタ２４の内部に予め保持しておいたものを利用してもよい。その場合、復号処理部２４４ｅはなくてもよい。ついで、復号処理部２４４ａにより、独自ＥＣＭをワーク鍵（Ｋｗ）により復号して当該スクランブル鍵（Ｋｓ）を抽出する。このスクランブル鍵（Ｋｓ）は、排他的論理和部２４４ｃの一方の入力端に入力される。
【００８７】
排他的論理和部２４４ｃは、部屋番号記憶部３１からの部屋番号データ（ROOM_DATA）と、復号処理部２４４ａからのスクランブル鍵（Ｋｓ）との排他的論理和出力を生成する。ＥＣＭから抽出されたスクランブル鍵Ｋｓは、送出装置１４（図４）の独自ＥＣＭパケット生成部１４３から出力された変換前のスクランブル鍵Ｋｓである。このスクランブル鍵Ｋｓは、有効な部屋番号データに基づいて、送出装置１４のスクランブラ１４７で用いられたスクランブル鍵Ｋｓ'と同じものに変換される。この変換されたスクランブル鍵Ｋｓ'は、スイッチ２４２を介してデジタルテレビ受信機２１へ送出され、デスクランブラ２１２に入力される。このとき、第１のスイッチであるアナログスイッチ２４１は切断され、遮断状態となる。
【００８８】
カードアダプタ２４のアダプタ制御部２４３は、独自ＥＣＭ以外のＥＣＭを受信したと判断したときは、第１のスイッチであるアナログスイッチ２４１を介してＩＣカード２６からデジタルテレビ受信機２１に対して送出されるスクランブル鍵（Ｋｓ）を導通させる。このとき第２のスイッチであるアナログスイッチ２４２は遮断状態のままとする。
【００８９】
ＩＣカード２６側では、従来のとおり、復号処理部２６２によりＥＭＭをマスター鍵（Ｋｍ）で復号してワーク鍵（Ｋｗ）と契約情報とを出力する。また、復号処理部２６１によりＥＣＭをワーク鍵（Ｋｗ）で復号してスクランブル鍵（Ｋｓ）と番組属性情報を出力する。条件判定処理部２６３により、ＥＭＭに含まれていた契約情報とＥＣＭ内の番組属性情報とを照合し、照合の結果、視聴可能と判定されればスイッチ２６４を閉じて、ＥＣＭから得られたスクランブル鍵（Ｋｓ）をデスクランブラ２１２へ出力する。なお、ＩＣカード２６が、本発明における独自ＥＣＭを復号したときは、その改ざん検出により正規のＥＣＭではないと判断され、有効なスクランブル鍵は抽出されない。（有効なＥＭＭも存在しないので、有効なワーク鍵も抽出されない。）
【００９０】
このように、本発明ではモニタ映像放送コンテンツのストリームに対して独自のスクランブル鍵で暗号を掛ける。その際、既存のＩＣカード２６と共存するような構成のカードアダプタ２４を追加することにより、モニタ映像放送コンテンツの暗号化を可能とするとともに、低コストで且つ信頼性の高いインターフォンシステムを提供することができる。また、住戸識別情報（部屋番号）の利用によりモニタ映像放送コンテンツの受信制限の解除を特定の住戸に限ることが可能となる。
【００９１】
なお、図９で説明したようなＥＭＭとＥＣＭに基づき、部屋番号データに応じて有効または無効なスクランブル鍵（Ｋｓ'）が得られるならば、上記処理例を実現するための構成は図９に示した構成に限定されるものではない。
【００９２】
図１０に、図９のカードアダプタ２４の変形例としてのカードアダプタ２４０の機能を示す。図１０において、図９に示したと同様の要素には同じ参照番号を付して、重複した説明を省略する。このカードアダプタ２４０は、上述したように、ＥＭＭパケットの可変部に、来訪者が指定した部屋の部屋番号データが格納されていることを前提としている。ＥＣＭに含まれる部屋番号データは復号処理部２４４ａで抽出され、比較器２４４ｄにおいて、部屋番号記憶部３１からの部屋番号データROOM_DATAと比較される。この比較器２４４ｄの出力に応じて、スイッチ２４４ｇ（ここではＳＰＤＴスイッチ）が切替制御される。スイッチ２４４ｇは、比較器２４４ｄの出力に応じて、排他的論理和部２４４ｃから出力されたスクランブル鍵（Ｋｓ'）または記憶部２４４ｆに予め格納されたゼロデータ（予め設定した固定データ）を、選択的にスイッチ２４２（ひいてはデスクランブラ２１２）へ導通させる。図９のカードアダプタ２４の構成では、受信したＥＣＭが独自ＥＣＭであると判定されたとき、無条件で、排他的論理和部２４４ｃから出力されたスクランブル鍵（Ｋｓ'）をデスクランブラ２１２へ供給した。これに対して、図１０のカードアダプタ２４０では、受信したＥＣＭが独自ＥＣＭであると判定されたときであっても、その独自ＥＣＭが自カードアダプタ宛てのものであるかどうかを判定し、自カードアダプタ宛てでなければ、ゼロデータをデスクランブラ２１２へ供給するようにした。これにより、独自ＥＣＭが自カードアダプタ宛てのものでない場合に、非正規のスクランブル鍵（Ｋｓ'）がデスクランブラ２１２に供給されることによるデスクランブラ２１２の予期しない誤動作を未然に防止することができる。
【００９３】
なお、部屋番号記憶部３１は、上述したようにそのカードアダプタが利用される住戸の部屋番号データを不揮発性記憶媒体に予め記憶させておいたものでよいが、ＩＣカード２６とともにデジタルテレビ受信機２１に対して接続されたときに制御装置１６から初期設定するものであってもよい。その場合、送出装置１４から、例えばＥＭＭの可変部にＩＣカード２６のカードＩＤとともに部屋番号データを格納して送信し、受信した各カードアダプタは自身の接続されたＩＣカード２６のカードＩＤとＥＭＭから抽出されたカードＩＤとを比較し、両者が一致したときそのカードＩＤに付随した部屋番号データを部屋番号記憶部３１に記憶させる。各住戸の部屋番号とカードＩＤとの対応関係は予め既知の情報として、例えばデータテーブルとして制御装置１６に保存しておく。
【００９４】
次に、図１１に、ある住戸６０におけるデジタルテレビ受信機２１とカードアダプタ２４とＩＣカード２６の間の通信シーケンスを示す。この図１１に示したシーケンスは、通常の放送のチャンネルが選択されている場合のシーケンスである。
【００９５】
テレビ受信機２１は、ＩＣカード２６の装着を検出すると（Ｓ１１）、ＩＣカード２６に電源を供給する（Ｓ１２）。同時に、所定の周波数（例えば４ＭＨｚ）のクロックを供給し（Ｓ１３）、ＩＣカード２６の回路が安定化するための時間（安定時間）の経過後に、ＩＣカード２６の初期的なリセット状態を解除する（Ｓ１４）。
【００９６】
ＩＣカード２６は、リセット解除後、ＡＴＲ（Answer To Reset）として、ボーレート、クロック周波数、タイムアウトなどの基本通信情報をテレビ受信機２１に返答する（Ｓ３１）。テレビ受信機２１は、ＡＴＲの応答を受信し（Ｓ１５）、それに基づいたフォーマットでシリアルデータのやり取りを開始する。Ｂ−ＣＡＳの場合は、最初にバッファーサイズの設定変更をする。
【００９７】
その後、テレビ受信機２１は、初期設定コマンドを発行する（Ｓ１６）。これに対して、ＩＣカード２６は、自身のカードＩＤ、および、ＭＵＬＴＩ２暗号に使うシステムキーやイニシャルデータを返信する（Ｓ３２）。
【００９８】
テレビ受信機２１は、インターフォンのモニタ映像の放送チャンネルが選択された場合、そのチャンネルに同調した後、ＥＭＭパケットを受信し、カードアダプタ２４に対して、その可変部のEMM_DATAを含むＥＭＭコマンドを送信する（Ｓ１７）。ＩＣカード２６はＥＭＭコマンドを受信して、これを正しく復号する（Ｓ３３）。
【００９９】
テレビ受信機２１は、さらに、ＥＣＭパケットを受信すると、一定時間間隔で、ＩＣカード２６に対して、暗号化されたＥＣＭパケットを含むＥＣＭコマンドを発行する（Ｓ１７）。このＥＣＭコマンドは、当該ＥＣＭの復号により抽出されたスクランブル鍵の返送を要求するコマンドである。ＩＣカード２６は、ＥＣＭコマンドを受領してＥＣＭを復号する（Ｓ３４）。番組再生がイネーブルされている場合（すなわち上述した条件判定処理部２６３の判定条件が満足された場合）には、ＭＵＬＴＩ２暗号に必要なスクランブル鍵として、ＯＤＤ／ＥＶＥＮキーを返送する（Ｓ３５）。番組再生が禁止されているとＯＤＤ／ＥＶＥＮキーを全て０（ゼロ）にして返送する。このようなスクランブル鍵はアナログスイッチ２４１を経由してテレビ受信機２１へ伝達される。
【０１００】
この際、カードアダプタ２４は、ＥＣＭパケットを傍受してその復号を行う（Ｓ２１）が、上述したＣＲＣ３２判定値が上記所定値に合致しないので、アナログスイッチ２４１，２４２の切替は行わない。
【０１０１】
以後、ＥＣＭコマンドが発行される毎に（Ｓ１９，…）、同様の処理が繰り返し実行される（Ｓ２２，Ｓ３６，Ｓ３７，…）。
【０１０２】
図１２は、図１１と同様、本実施の形態におけるデジタルテレビ受信機２１と、カードアダプタ２４とＩＣカード２６の間の通信シーケンスを示す。この図１２のシーケンスは、インターフォンのモニタ映像の放送チャンネルが選択されている場合、すなわち、送出装置から独自ＥＣＭとともにモニタ映像放送コンテンツが送出された際に、カードアダプタ２４がスクランブル鍵（Ｋｓ'）をテレビ受信機２１へ返送することができる場合のシーケンスである。図１１に示したステップと同様のステップには同じ参照番号を付して、重複した説明は省略する。すなわち、ステップＳ１１〜Ｓ１９、Ｓ２１〜Ｓ２２、Ｓ３１〜Ｓ３７は図１１の場合と同様である。
【０１０３】
ステップＳ２１では、ＥＣＭパケットの復号がＯＫ、すなわち、上述したＣＲＣ３２判定値が上記所定値に合致する。そこで、アナログスイッチ２４２を接続し、アナログスイッチ２４１を遮断するよう、両アナログスイッチの切替を行う（Ｓ２１１）。これにより、ＩＣカード２６からの返答は遮断され、代わりに、カードアダプタ２４が独自のスクランブル鍵（Ｋｓ'）を返送する（Ｓ２１２）。すなわち、この復号により得られたスクランブル鍵（ＯＤＤ／ＥＶＥＮキー）がテレビ受信機２１へ返送される。この際、来訪者が指定した住戸の部屋番号に合致した住戸のカードアダプタ２４のみが当該テレビ受信機２１へ有効なスクランブル鍵を返送する。他の住戸のカードアダプタ２４が当該テレビ受信機２１へ返送するスクランブル鍵は無効データである。上述した図１０のカードアダプタ２４０を用いる場合には、独自ＥＣＭのＥＣＭコマンド内に、来訪者の指定した住戸の部屋番号データが格納されている。カードアダプタ２４０は、自身宛でない独自ＥＣＭを受信したときには、スクランブル鍵Ｋｓ'の無効データとしてゼロデータをデジタルテレビ受信機２１へ返送する。その後、アナログスイッチ２４１を接続し、アナログスイッチ２４２を遮断するよう、両アナログスイッチを元の状態に戻す切替が行われる（Ｓ２１３）。以後のステップＳ２２の後のＳ２２１〜Ｓ２２３等についても同様である。
【０１０４】
インターフォンのモニタ映像の放送チャンネルが選択されている場合、テレビ受信機２１から発行されたＥＣＭコマンドは独自の暗号方式により暗号化されているため、ＩＣカード２６は自身の暗号方式で復号しても（Ｓ３４、Ｓ３６）、有効なスクランブル鍵は得られない。すなわち、ＩＣカード２６におけるステップＳ３５，Ｓ３７では、直前のステップでのＥＣＭパケットの復号がＮＧなのでスクランブル鍵としてゼロデータを出力する。（いずれにせよ、このゼロデータは、この時点でスイッチ２４１が遮断されているのでテレビ受信機２１には到達しない。）
【０１０５】
図１３は、カードアダプタ２４の処理フローを表したフローチャートである。この処理は、カードアダプタ２４のプロセッサ２４４が実行する。
【０１０６】
電源とクロックが供給されて、リセット解除になると、すぐに、ＩＣカード２６のシリアルＩ／Ｏの監視を開始し、シリアルメッセージを取得、すなわちシリアルデータを受信する（Ｓ４１）。メッセージの長さが正しいものを受信すると（Ｓ４２，Ｙｅｓ）、そのメッセージを解析する（Ｓ４３）。そのメッセージがＥＣＭコマンドの場合には（Ｓ４４，Ｙｅｓ）、受領したデータの暗号を解読し（Ｓ４５）、改ざん検出用ＣＲＣ３２ビットをチェックする（Ｓ４６）。
【０１０７】
その暗号が独自暗号の場合にはＣＲＣ３２判定値が０すなわち「改ざんなし」となり（Ｓ４７，Ｙｅｓ）、カードアダプタ宛のＥＣＭコマンドであると判断する。そうでない場合は、ＩＣカード２６に対するＥＣＭコマンドなので、以降のステップを実行することなく最初のステップＳ４１へ戻る。
【０１０８】
独自暗号で暗号化されたＥＣＭコマンドの場合には、アナログスイッチ２４１を遮断するとともにアナログスイッチ２４２を接続して、当該ＥＣＭから抽出した独自のスクランブル鍵のシリアルＴｘ出力を可能とする。次に、所定時間待機する（Ｓ４９）。この例では、ＩＣカード２６からの返答を２キャラクタ分待つ。所定時間待機する理由は、返答するキャラクタのタイミングを間違ったり、アナログスイッチ２４１，２４２の遮断・接続タイミングによる無意味なデータの返答をしないためである。
【０１０９】
ついで、独自のスクランブル鍵（Ｋｓ'）としてのＯＤＤ／ＥＶＥＮキーをシリアル出力する（Ｓ５０）。共同玄関で入力された部屋番号と一致した部屋番号データを保存したカードアダプタ２４が装備されたテレビ受信機２１では、当該放送コンテンツの正常な復号がなされ、暗号化されたモニタ映像の放送コンテンツに対する復号が正しく行われることにより視聴制限が解除される。それ以外のテレビ受信機２１では当該放送コンテンツの正常な復号がなされないので、視聴制限は解除されない。独自のスクランブル鍵の出力を終了すると、アナログスイッチ２４１，２４２の状態を元に戻して（Ｓ５１）、テレビ受信機２１とＩＣカード２６のシリアルＩ／Ｏ経路を接続する。その後、最初のステップＳ４１へ戻る。
【０１１０】
前記メッセージがＥＣＭコマンドでない場合には（Ｓ４４，Ｎｏ）、最初のステップＳ４１へ戻る。
【０１１１】
第１の実施の形態によれば、集合住宅における既存の放送配信システムと既存の音声専用のインターフォンシステムに若干の変更を加えることにより、モニタ映像付きのインターフォンシステムを安価に構築することができる。
【０１１２】
次に、図１４に、本発明の第２の実施の形態を説明する。図１に示した要素と同様の要素には同じ参照番号を付して、重複した説明は省略する。第１の実施の形態では、共同玄関インターフォン装置４０と住戸内インターフォン装置との間の伝送線と、放送配信システム１０と放送受信システム２０との間の伝送線とを別個独立のものとした。これに対して、第２の実施の形態では、放送配信システム１０と放送受信システム２０ａとの間の伝送線を、インターフォンの制御および音声の通信に共用するものである。
【０１１３】
そのために、住戸内インターフォン装置８０ａ内にワンセグチューナ８６およびＲＦ出力部８９を設けるとともに、インターフォン処理部８１内には音声デコーダ８７（ここではAAC(Advanced Audio Coding)デコーダ)を設けている。音声デコーダ８７は、共同玄関インターフォン装置４０のマイク４３で取得され、送出装置１４でワンセグ放送コンテンツの一部として送信されてきた音声信号を復号化する機能を有する。ＲＦ出力部８９は、インターフォン処理部８１から共同玄関インターフォン装置４０への音声信号および制御信号を伝送線に載せるために、所定の変調および周波数アップコンバートを行って、それらの信号をＲＦ信号に変換する。
【０１１４】
「ワンセグ」とはワンセグメントの略称であり、「ワンセグ放送」とは、地上デジタル放送の１チャンネルの周波数帯域の全１３セグメントのうちの１セグメントを利用した、移動体向けの放送である。
【０１１５】
住戸から共同玄関へ向かう経路（アップリンク）において、住戸内インターフォン装置８０ａ内で発生した、インターフォン処理部８１から共同玄関インターフォン装置４０への音声信号および制御信号は、ＲＦ出力部８９でＲＦ信号に変換し、双方向ＲＦアンプ６１を介して、放送配信システム１０へ送信する。ここでの「音声信号」は訪問先の住戸６０内の音声（居住者の音声）であり、マイク８２から入力された信号である。ここでの「制御信号」は例えば、共同玄関のドア駆動装置４１の解錠指示であり、インターフォンリモコン８５から入力されたユーザの指示である。このＲＦ信号は、放送配信システム１０内に設けた双方向ＲＦアンプ１７で受信され、共同玄関インターフォン装置４０内に設けた復調器４８で復調されて、インターフォン・オートロック制御部４２へ入力される。
【０１１６】
なお、本実施の形態では、共同玄関から住戸へ向かう経路（ダウンリンク）の音声信号（共同玄関に設置されたマイク４３で取得された来訪者の音声信号）および制御信号は、送出装置１４から、モニタ映像の放送チャンネルと同チャンネルのワンセグ放送チャンネルのトランスポートストリームの未使用領域に格納されて、二つの双方向ＲＦアンプ１７，６１を介して、住戸内インターフォン装置８０ａに伝送される。この音声信号は、ワンセグチューナ８６で抽出され、インターフォン処理部８１で処理されてスピーカ８３から出力される。
【０１１７】
デジタルテレビ受信機２１の地上デジタル放送受信機能はいわゆるフルセグ（フルセグメント）放送を対象としたものを想定しており、モニタ映像は非ワンセグの放送コンテンツとして送出される。本発明は、ダウンリンクの音声信号をワンセグ放送コンテンツとして送出することに限定されるものではないが、この構成により、住戸内インターフォン装置８０ａ内に設けるワンセグチューナ８６がフルセグチューナに比べて簡易かつ安価に用意できる。
【０１１８】
ダウンリンクの「制御信号」は、本例では、特定のチャンネルのワンセグストリームのプライベートＴＳ信号に、来訪者が入力した部屋番号データを含む報知音生成コマンドを重畳したものである。この部屋番号データを含む報知音生成コマンドは、当該特定のチャンネルについて常時動作状態のワンセグチューナ８６が受信したとき、インターフォン処理部８１ａが、その部屋番号データを自住戸の部屋番号データと比較して、両者が一致したときに、所定の報知音をスピーカ８３から発生する。自住戸の部屋番号はカードアダプタ２４内の部屋番号記憶部３１に記憶されたものを利用する。住戸インターフォン装置が自住戸の部屋番号を確認するために、住戸内インターフォン装置８０ａのユニット内にカードアダプタ２４を収容し、カードアダプタ２４の部屋番号記憶部３１から読み出された部屋番号データを利用する構成とした。これに代えて、初期的に住戸インターフォン装置内の不揮発性記憶媒体（図示せず）に部屋番号を記憶させておいてもよい。この場合、カードアダプタ２４を住戸インターフォン装置に接続する必要はない。
【０１１９】
この第２の実施の形態によれば、従来の共同玄関インターフォン装置４０と住戸内インターフォン装置との間の独立したインターフォン専用の伝送線を削除することができる。
【０１２０】
図１５に、住戸内インターフォン装置８０ａのインターフォン処理部８１の処理例を表したフローチャートを示す。
【０１２１】
まず、ワンセグチューナ８６の出力から部屋番号データが抽出されたか否かを監視する（Ｓ６０）。この抽出された部屋番号を自アダプタの部屋番号と比較する（Ｓ６１）。両部屋番号が一致しなければ、ステップＳ６１へ戻る。両部屋番号が不一致であれば（Ｓ６２，Ｎｏ）、ステップＳ６１へ戻る。両部屋番号が一致すれば（Ｓ６２，Ｙｅｓ）、報知音をスピーカ８３から発生させる（Ｓ６３）。通話／終話ボタン８５１（図２）が押されたかどうかを監視する（Ｓ６４）。
【０１２２】
通話／終話ボタンが押されたことが検出されたとき（Ｓ６４，Ｙｅｓ）、報知音を停止するとともに、音声デコーダ８７を動作させることにより、来訪者と居住者との間の通話をイネーブル（能動化）する（Ｓ６５）。その後、解錠ボタン８５２（図２）が押されたか否かを監視する（Ｓ６６）。
【０１２３】
解錠ボタンが押される前に通話／終話ボタンが押されたことが検出されたとき（Ｓ６７，Ｙｅｓ）、音声デコーダ８７の動作を停止させることにより通話をディスエーブル（不能化）する（Ｓ６８）。
【０１２４】
解錠ボタンが押されたことを検出されたとき（Ｓ６６，Ｙｅｓ）、解錠信号を出力する（Ｓ６９）。ついで、通話をディスエーブルする（Ｓ７０）。その後、解錠信号の出力時点から所定時間の経過を待って（Ｓ７１）、ＲＦ出力部８９を介して放送配信システム１０および共同玄関インターフォン装置４０へ施錠信号を出力する（Ｓ７２）。なお、一旦、解錠された後、所定時間の経過後に自動的に施錠されるような機能が共同玄関インターフォン装置（インターフォン・オートロック処理部）に備わっている場合には、ステップＳ７１，Ｓ７２はなくてもよい。
【０１２５】
以上、本発明の好適な実施の形態について説明したが、上記で言及した以外にも、種々の変形、変更を行うことが可能である。
【０１２６】
例えば、本発明のインターフォンシステムが導入される施設として集合住宅を挙げたが、共同玄関と複数の居室との間の関係が同じであれば、集合住宅以外の任意の施設に適用することができる。共同玄関の音声は、マイク４３から取得される音声に代えて、または、これに加えて、モニタカメラ４７で映像とともにカメラ付属のマイクで音声を取得するようにしてもよい。
【０１２７】
住戸内インターフォン装置におけるユーザの指示はインターフォンリモコン８５で行う例のみを示したが、本発明は、通話／終話ボタンおよび解錠ボタンが住戸内インターフォン装置に固定的に配置されている構成を排除するものではない。
【０１２８】
ＴＶリモコン２２等による、来訪者のモニタ映像チャンネルの選択指示の際、単にチャンネルの切り替え指示を行うと、その時点でユーザがテレビ受信機において何らかの放送チャンネルを視聴中であった場合に、その視聴中の番組が一時的に見られなくなる。この問題を解決するために、例えば、テレビ受信機の画面を複数のエリアに分割して、分割エリアに別々の放送チャンネルを割り当てるいわゆる画面分割表示の機能を用いることも可能である。このような場合、上述したリモコン８５ｂにおいて、モニタボタン８５４の機能として、画面分割の指示を出力した後、第２の分割エリアに来訪者のモニタ映像チャンネルを割り当てる指示を行うものとしてもよい。また、居住者によりインターフォンリモコン８５からオートロック解除指示があったとき、画面分割表示を止めるリモコン指示を出力する。これにより、テレビ受信機は、元の視聴チャンネルの映像が画面全体に表示される状態に戻る。
【符号の説明】
【０１２９】
１０…放送配信システム
１１…放送コンテンツ源
１１ａ，１１ｂ…アンテナ
１２…混合器
１４…送出装置
１６…制御装置
１７…双方向ＲＦアンプ
２０…放送受信システム
２０ａ…放送受信システム
２１…デジタルテレビ受信機
２１ａ…スロット
２２…ＴＶリモコン（リモートコントローラ）
２４…カードアダプタ
２４ａ…アダプタ本体部
２４ｂ…ケーブル
２４ｃ…コネクタ
２４ｄ…カード状接続部材
２４ｅ…電気接点
２４ｆ…電源ケーブル
２４ｇ…カード用スロット
２６…ＩＣカード
３１…部屋番号記憶部
４０…共同玄関インターフォン装置
４１…ドア駆動装置
４２…インターフォン・オートロック制御部
４３…マイク
４７…モニタカメラ
４８…復調器
５０…データテーブル
６０…住戸
６１…双方向ＲＦアンプ
８０…住戸内インターフォン装置
８０ａ…住戸内インターフォン装置
８１…インターフォン処理部
８１ａ…インターフォン処理部
８２…マイク
８３…スピーカ
８４…リモコンインタフェース（リモコンＩＦ）
８５…インターフォンリモコン
８５ａ…インターフォンリモコン
８５ｂ…インターフォンリモコン
８６…ワンセグチューナ
８７…音声デコーダ
８９…ＲＦ出力部
１４０…地上デジタル放送ＳＩ情報生成部
１４２…映像・音声エンコーダ
１４３…独自ＥＣＭパケット生成部
１４４…スクランブル鍵生成部
１４５…タイミング制御部
１４６…マルチプレクサ
１４７…スクランブラ
１４８…ＯＦＤＭ変調器
１４９…ＲＦアップコンバータ
１５０…独自ＥＭＭパケット生成部
１５１…部屋番号データ保存部
１５２…排他的論理和部
２１１…チューナ部
２１２…デスクランブラ
２１３…デマルチプレクサ
２１４…映像・音声デコーダ
２１５…入出力（Ｉ／Ｏ）部
２１６…制御部
２１７…ＣＡＳ処理部
２１８…表示処理部
２１９…赤外線受信部
２２０…表示制御部
２２１…表示部
２２２…音声処理部
２２３…スピーカ
２４０…カードアダプタ
２４１…アナログスイッチ
２４２…アナログスイッチ
２４３…アダプタ制御部
２４４…プロセッサ
２４４ａ…復号処理部
２４４ｂ…判定処理部
２４４ｃ…排他的論理和部
２４４ｄ…比較器
２４４ｅ…復号処理部
２４４ｆ…記憶部
２４４ｇ…スイッチ
２６１…復号処理部
２６２…復号処理部
２６３…条件判定処理部
２６４…スイッチ
８５１…通話／終話ボタン
８５２…解錠ボタン
８５３…電源ボタン
８５４…モニタボタン
【図１】
0005317230.tif 000002
【図２】
0005317230.tif 000003
【図３】
0005317230.tif 000004
【図４】
0005317230.tif 000005
【図５】
0005317230.tif 000006
【図６】
0005317230.tif 000007
【図７】
0005317230.tif 000008
【図８】
0005317230.tif 000009
【図９】
0005317230.tif 000010
【図１０】
0005317230.tif 000011
【図１１】
0005317230.tif 000012
【図１２】
0005317230.tif 000013
【図１３】
0005317230.tif 000014
【図１４】
0005317230.tif 000015
【図１５】
0005317230.tif 000016